【手続補正書】
【提出日】平成17年6月10日(2005.6.10)
【手続補正１】
【補正対象書類名】明細書
【補正対象項目名】発明の名称
【補正方法】変更
【補正の内容】
【発明の名称】電子機器とその制御方法及びデジタルカメラ
【手続補正２】
【補正対象書類名】明細書
【補正対象項目名】特許請求の範囲
【補正方法】変更
【補正の内容】
【特許請求の範囲】
【請求項１】
被写体から得る光学像から電気信号を生成し、該電気信号から前記被写体の画像データを生成するデジタルカメラと通信可能な電子機器であって、
デジタルカメラと無線通信する無線通信手段と、
記憶媒体を装着するための装着手段と、
前記デジタルカメラとの無線通信を制御する通信制御手段とを有し、
前記通信制御手段は、前記記憶媒体に記憶されている管理情報に応じて、前記デジタルカメラからのプリント要求を通信可能なネットワークを形成するか否かを制御することを特徴とする電子機器。
【請求項２】
前記通信制御手段は、前記管理情報に含まれるデジタルカメラの固有情報に応じて、前記デジタルカメラからのプリント要求を通信可能なネットワークを形成するか否かを制御することを特徴とする請求項１に記載の電子機器。
【請求項３】
前記通信制御手段は、前記管理情報に含まれるデジタルカメラの固有情報と無線通信中のデジタルカメラの固有情報を比較し、無線通信中の前記デジタルカメラからのプリント要求を通信可能なネットワークを形成するか否かを制御することを特徴とする請求項２に記載の電子機器。
【請求項４】
前記固有情報は、デジタルカメラの固有アドレスであることを特徴とする請求項２または３に記載の電子機器。
【請求項５】
前記通信制御手段は、前記管理情報に含まれる日時情報に応じて、前記デジタルカメラからのプリント要求を通信可能なネットワークを形成するか否かを制御することを特徴とする請求項１に記載の電子機器。
【請求項６】
前記通信制御手段は、装着手段に前記記憶媒体が装着されたことに応じて、前記デジタルカメラからのプリント要求を通信可能なネットワークを形成するか否かを制御することを特徴とする請求項1に記載の電子機器。
【請求項７】
被写体から得る光学像から電気信号を生成し、該電気信号から前記被写体の画像データを生成するデジタルカメラと通信可能な電子機器の制御方法であって、
記憶媒体の装着を検知するための検知工程と、
前記記憶媒体に記憶されている管理情報に応じて、前記デジタルカメラからのプリント要求を通信可能なネットワークを形成するか否かを制御する判定工程と、
前記判定工程での判定結果に応じて、前記デジタルカメラからのプリント要求を通信可能なネットワークを形成する無線通信制御工程とを有することを特徴とする電子機器の制御方法。
【請求項８】
画像データの再生および表示が可能な再生装置と通信可能な電子機器であって、
再生装置と無線通信する無線通信手段と、
記憶媒体を装着するための装着手段と、
前記再生装置の無線通信を制御する通信制御手段とを有し、
前記通信制御手段は、前記記憶媒体に記憶されている管理情報に応じて、前記再生装置からプリント要求を通信可能なネットワークを形成するか否かを制御することを特徴とする電子機器。
【請求項９】
被写体から得る光学像から電気信号を生成し、該電気信号から前記被写体の画像データを生成するデジタルカメラであって、
外部装置と無線通信するための無線通信手段と、
記憶媒体を装着するための装着手段と、
プリント要求を無線通信可能なネットワークを形成するために必要な管理情報を前記記憶媒体に記録する記録手段を有することを特徴とするデジタルカメラ。
【請求項１０】
前記管理情報は、日時情報を含むことを特徴とする請求項９に記載のデジタルカメラ。
【請求項１１】
前記記憶媒体とは異なる、管理情報を記憶するための記憶手段を有することを特徴とする請求項９または１０に記載のデジタルカメラ。
【請求項１２】
前記記録手段は、前記記憶媒体に記録されている管理情報と前記記憶手段が記憶している管理情報とを比較し、その結果に応じて、管理情報を前記記憶媒体に記録することを特徴とする請求項１１に記載のデジタルカメラ。
【請求項１３】
前記記録手段は、画像データが前記記憶媒体に記録されたことに応じて、管理情報を前記記憶媒体に記録することを特徴とする請求項９ないし１１のいずれかに記載のデジタルカメラ。
【手続補正３】
【補正対象書類名】明細書
【補正対象項目名】０００１
【補正方法】変更
【補正の内容】
【０００１】
【発明の属する技術分野】
本発明は、静止画像や動画像を撮像、記録、再生する、電子機器とその制御方法及びデジタルカメラに関し、特に、無線通信機能を用いて他の情報処理装置を制御する、電子機器とその制御方法及びデジタルカメラに関する。
【手続補正４】
【補正対象書類名】明細書
【補正対象項目名】０００４
【補正方法】変更
【補正の内容】
【０００４】
本発明は、上述の点に鑑みてなされたもので、撮影した画像を記録した半導体メモリなどの記録メディアを、画像表示装置を内蔵しない情報処理装置で画像処理を行う場合でも画像の選択及び選択後の処理動作を行うことができる電子機器とその制御方法及びデジタルカメラを提供することを目的とする。
【手続補正５】
【補正対象書類名】明細書
【補正対象項目名】０００７
【補正方法】変更
【補正の内容】
【０００７】
上記構成を改めて以下（１）〜（１３）に整理して示す。
【手続補正６】
【補正対象書類名】明細書
【補正対象項目名】０００８
【補正方法】変更
【補正の内容】
【０００８】
（１）被写体から得る光学像から電気信号を生成し、該電気信号から前記被写体の画像データを生成するデジタルカメラと通信可能な電子機器であって、
デジタルカメラと無線通信する無線通信手段と、
記憶媒体を装着するための装着手段と、
前記デジタルカメラとの無線通信を制御する通信制御手段とを有し、
前記通信制御手段は、前記記憶媒体に記憶されている管理情報に応じて、前記デジタルカメラからのプリント要求を通信可能なネットワークを形成するか否かを制御する電子機器。
（２）前記通信制御手段は、前記管理情報に含まれるデジタルカメラの固有情報に応じて、前記デジタルカメラからのプリント要求を通信可能なネットワークを形成するか否かを制御する前記（１）に記載の電子機器。
（３）前記通信制御手段は、前記管理情報に含まれるデジタルカメラの固有情報と無線通信中のデジタルカメラの固有情報を比較し、無線通信中の前記デジタルカメラからのプリント要求を通信可能なネットワークを形成するか否かを制御する前記（２）に記載の電子機器。
（４）前記固有情報は、デジタルカメラの固有アドレスである前記（２）または（３）に記載の電子機器。
（５）前記通信制御手段は、前記管理情報に含まれる日時情報に応じて、前記デジタルカメラからのプリント要求を通信可能なネットワークを形成するか否かを制御する前記（１）に記載の電子機器。
（６）前記通信制御手段は、装着手段に前記記憶媒体が装着されたことに応じて、前記デジタルカメラからのプリント要求を通信可能なネットワークを形成するか否かを制御する前記（１）に記載の電子機器。
（７）被写体から得る光学像から電気信号を生成し、該電気信号から前記被写体の画像データを生成するデジタルカメラと通信可能な電子機器の制御方法であって、
記憶媒体の装着を検知するための検知工程と、
前記記憶媒体に記憶されている管理情報に応じて、前記デジタルカメラからのプリント要求を通信可能なネットワークを形成するか否かを制御する判定工程と、
前記判定工程での判定結果に応じて、前記デジタルカメラからのプリント要求を通信可能なネットワークを形成する無線通信制御工程とを有する電子機器の制御方法。
（８）画像データの再生および表示が可能な再生装置と通信可能な電子機器であって、
再生装置と無線通信する無線通信手段と、
記憶媒体を装着するための装着手段と、
前記再生装置の無線通信を制御する通信制御手段とを有し、
前記通信制御手段は、前記記憶媒体に記憶されている管理情報に応じて、前記再生装置からプリント要求を通信可能なネットワークを形成するか否かを制御する電子機器。
（９）被写体から得る光学像から電気信号を生成し、該電気信号から前記被写体の画像データを生成するデジタルカメラであって、
外部装置と無線通信するための無線通信手段と、
記憶媒体を装着するための装着手段と、
プリント要求を無線通信可能なネットワークを形成するために必要な管理情報を前記記憶媒体に記録する記録手段を有することを特徴とするデジタルカメラ。
（１０）前記管理情報は、日時情報を含む前記（９）に記載のデジタルカメラ。
（１１）前記記憶媒体とは異なる、管理情報を記憶するための記憶手段を有する前記（９）または（１０）に記載のデジタルカメラ。
（１２）前記記録手段は、前記記憶媒体に記録されている管理情報と前記記憶手段が記憶している管理情報とを比較し、その結果に応じて、管理情報を前記記憶媒体に記録する前記（１１）に記載のデジタルカメラ。
（１３）前記記録手段は、画像データが前記記憶媒体に記録されたことに応じて、管理情報を前記記憶媒体に記録する前記（９）ないし（１１）のいずれかに記載のデジタルカメラ。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１９
【補正方法】変更
【補正の内容】
【００１９】
図２は、図１におけるデジタルカメラ１０１のブロック図を表したもので、２０１はＣＰＵ（Ｃｅｎｔｒａｌ  Ｐｒｏｃｅｓｓｉｎｇ  Ｕｎｉｔ）であり、デジタルカメラ１０１各部の制御及び画像処理や通信処理の制御を行う。２０２は、ＲＯＭ（Ｒｅａｄ  Ｏｎｌｙ  Ｍｅｍｏｒｙ）であり、デジタルカメラ１０１の基本動作、制御に必要なプログラム、データが格納されている。２０３はＲＡＭ（Ｒａｎｄｏｍ  Ａｃｃｅｓｓ  Ｍｅｍｏｒｙ）であり、プログラムの一時的な記憶、演算領域、データバッファとして使用する。２０４は、不揮発性メモリであり、デジタルカメラ１０１で撮影した画像のサムネイル（ｔｈｕｍｂ  ｎａｉｌ）画像を保存するメモリで、デジタルカメラ１０１の主電源（図示せず）を切ってもデータが保存されるメモリで、バックアップ電源等でデジタルカメラ１０１の主電源が切られても保存されるのであれば、それでもよい。２０５はデジタルカメラ本体から取り外し可能な不揮発性メモリカードで、不揮発性メモリの他にその不揮発性メモリを制御するコントローラ部とから成り、デジタルカメラ１０１で撮影された画像データを保存する場所であり、図１の不揮発性メモリカード１０４にあたる。２０６は外部ソケットコネクタで、不揮発性メモリカード２０５を接続する。２０７は外部ソケットコネクタ２０６に接続された不揮発性メモリカード２０５とデジタルカメラ本体間の画像データの転送制御を行うインターフェース部である。２０８は外部コネクタで電子機器と接続される。２０９は外部コネクタ２０８に接続された電子機器から送信されるデータを受信するときの制御を行うインターフェース部である。
【手続補正１６】
【補正対象書類名】明細書
【補正対象項目名】００２０
【補正方法】変更
【補正の内容】
【００２０】
２１０はレンズ部であり、デジタルカメラ１０１のレンズとそのレンズを保護するレンズカバー、絞り機能を備えるシャッターから成る。２１１は撮像部であり、光学像を電気信号に変換する撮像素子（ＣＣＤ、ＣＭＯＳセンサなど）から成る。２１２は、撮像素子のアナログ信号出力をデジタル信号に変換するＡ／Ｄ変換回路である。２１３は操作部であり、デジタルカメラの操作状態を切り替える撮影モード切り替えスイッチやデジタルカメラを操作するユーザが撮影のために押すシャッタボタンや撮った画像を見るために操作するボタンや無線通信にて制御情報を転送するボタンやデジタルカメラ本体に電源を通電するための電源ボタンなどから成る。２１４はＡ／Ｄ変換回路２１２にて出力されたデジタル信号を不揮発性メモリ２０４，不揮発性メモリカード２０５に保存するための圧縮画像に変換したり、また、圧縮された画像を伸張したりする圧縮・伸張部である。２１５は、不揮発性メモリカード２０５に保存された画像を圧縮・伸張部２１４で伸張したデジタル画像をアナログ画像に変換するＤ／Ａ変換回路である。２１６はＤ／Ａ変換回路２１５から出力されるアナログ信号を表示する画像表示装置部である。２１７は無線通信部であり、データ変調・復調回路や高周波回路等から成る。２１８はアンテナであり、無線通信部２１７からの受けたデータを発信し、また、他の通信機器からデータを受信する。２１９はデジタルカメラ内の内部データバス、２２０はＣＰＵ２０１やインターフェース部２０７、２０９などが他の回路を制御するためのコマンドバスである。
【手続補正１７】
【補正対象書類名】明細書
【補正対象項目名】００２１
【補正方法】変更
【補正の内容】
【００２１】
図３は図１におけるプリンタのブロック図を表したもので、３０１はＣＰＵであり、プリンタ１０２全体の制御を行う。３０２はＲＯＭであり、プリンタ１０２の制御に必要なプログラムが格納されている。３０３はＲＡＭであり、ＣＰＵ３０１の作業用のワーク領域や文書データを一時保管するためのテキスト領域、印字データの保管や入力データの一時保管領域（バッファ）である。３０４はプリンタエンジン部であり、プリンタ用紙の搬送系のモータやそのコントローラ、印字系の印字ヘッドやインクタンク及びそのコントローラ部分から成る。３０５は操作部であり、プリンタ本体に電源を通電するための電源ボタンや印刷エラー時に押すリセットボタンなどから成る。３０６は表示部であり、発光素子であるＬＥＤなどから成る。３０７は外部コネクタで電子機器と接続される。３０８は外部コネクタ３０７に接続された電子機器から送信されるデータを受信するときの制御を行うインターフェース部である。３０９はプリンタ内の内部データバス、３１０はＣＰＵ３０１やインターフェース部３０８などが他の回路を制御するためのコマンドバスである。
【手続補正１８】
【補正対象書類名】明細書
【補正対象項目名】００２２
【補正方法】変更
【補正の内容】
【００２２】
図４は図１における電子機器のブロック図を表したもので、４０１はＣＰＵであり、無線通信をはじめ、他の回路の制御を行う。４０２はＲＯＭであり、電子機器１０３の制御に必要なプログラムが格納されている。４０３はＲＡＭであり、ＣＰＵ４０１の作業用のワーク領域や画像データを一時保管するための領域、無線通信で扱う画像データの一時保管領域（バッファ）である。４０４は外部コネクタであり図３に示したプリンタ１０２と外部コネクタ３０７で接続される。４０５は外部コネクタ４０４に接続された電子機器との間の制御を行うインターフェース部である。４０６は不揮発性メモリカードで、図１の不揮発性メモリカード１０４、図２の不揮発性メモリカード２０５と同じものである。４０７は外部ソケットコネクタで、不揮発性メモリカード４０６を接続する。４０８は外部ソケットコネクタ４０７に接続された不揮発性メモリカード４０６と電子機器本体間の画像データの転送制御を行うインターフェース部である。４０９は不揮発性メモリであり、プリンタドライバソフトやその他の電子機器のドライバソフトが記録されている。４１０は、無線通信部であり、データ変調・復調回路や高周波回路等から成る。４１１はアンテナであり、無線通信部４１０からの受けたデータを発信し、また、他の通信機器からデータを受信する。４１２は電子機器内の内部データバス、４１３はＣＰＵ４０１やインターフェース部４０５、４０８などが他の回路を制御するためのコマンドバスである。
【手続補正１９】
【補正対象書類名】明細書
【補正対象項目名】００２３
【補正方法】変更
【補正の内容】
【００２３】
図５は本発明を表すデジタルカメラ１０１で撮影するときのフローチャートで、図１に示す不揮発性メモリカード１０４をデジタルカメラ１０１の外部スロットコネクタ１０１−ａに挿し、デジタルカメラ１０１を撮影モードにし、主電源をＯＮした後にシャッタボタンを押したときの状態遷移である。本発明で説明するデジタルカメラには、動作モードとして画像を撮影する撮影モード、その撮影した画像を再生する再生モード、撮影した画像を他の機器へ有線接続で転送する転送モード及び撮影した画像を記録した記録メディアを無線通信にて制御する無線通信モードの４種類がある。図５のフローチャートに沿って撮影モードの動作を以下に説明する。Ｓ５０１では、レンズ部２１０が受けた光学像を撮像部２１１にてアナログ電気信号に変換し、そのアナログ信号をＡ／Ｄ変換回路２１２でデジタル信号に変換して内部データバス２１９を経由してＲＡＭ２０３のワーク領域に一時的に保存する。ＣＰＵ２０１は、ＲＡＭ２０３に保存された画像データを読み出し、圧縮・伸張部２１４に送ることにより圧縮・伸張部２１４はその画像データを圧縮し、その圧縮された画像データをＲＡＭ２０３に書き込む。ＣＰＵ２０１はＲＡＭ２０３から圧縮された画像データを読み出しインターフェース部２０７に送る。インターフェース部２０７は圧縮された画像データをソケット部２０６に接続された不揮発性メモリカード２０５に書き込む。Ｓ５０２では、Ｓ５０１で受けた光学像を圧縮・伸張部２１４にて不揮発性メモリカード２０５に記録した画像データよりデータサイズの小さい圧縮画像データ（サムネイル画像データ）にした後、ＲＡＭ２０３に書き込む。ＣＰＵ２０１は、ＲＡＭ２０３に記録されたサムネイル画像データを読み出し、不揮発性メモリ２０４に書き込む。尚、このＳ５０１、Ｓ５０２で不揮発性メモリカード２０５、不揮発性メモリ２０４に記録する画像ファイル名は、図６に示すように、それぞれ、ＡＵＴ＿０００１．ＪＰＧ、ＴＨＭ＿０００１．ＪＰＧというように、ＡＵＴ＿とＴＨＭ＿の次に書かれる数字の部分を同じにすることで、同じ光学像を元に圧縮したことがわかるように関連付けを行う。Ｓ５０３でＣＰＵ２０１は、不揮発性メモリ２０４、不揮発性メモリカード２０５のそれぞれに管理ファイルが記録されているかどうかを調べる。図７に管理ファイルのファイル名及びファイルの内容を示す。管理ファイルのファイル名はｃｏｎｔｒｏｌ．ｔｘｔファイルとする。ファイル内容は、作成日時及びＢＤ＿ＡＤＤＲ（Ｂｌｕｅｔｏｏｔｈ  Ｄｅｖｉｃｅ  Ａｄｄｒｅｓｓの略で、Ｂｌｕｅｔｏｏｔｈ対応機器の各々がこのアドレスを持ち、Ｂｌｕｅｔｏｏｔｈ対応機器１台に対して１つの固有アドレスが割り振られる。以下、単にアドレスと呼ぶ。）とＳ５０１にて不揮発性メモリカード２０５に書き込んだ画像データのファイル名が記録される。日時は、ｃｏｎｔｒｏｌ．ｔｘｔを作成したときの日時であり、アドレスは、デジタルカメラ固有のアドレスで、ＲＯＭ２０２に予め記録されている。本実施例では、ＣＰＵ２０１は、管理ファイルを不揮発性メモリ２０４、不揮発性メモリカード２０５のそれぞれに書き込む前にそのときの日時を図２には図示していないＲＴＣ（Ｒｅａ��  Ｔｉｍｅ  Ｃｌｏｃｋ）から読み出し、また、予めＲＯＭ２０２に記録されているアドレスを読み出し、さらに、Ｓ５０１で作成された画像ファイル名を読み出し、ｃｏｎｔｒｏｌ．ｔｘｔという名の管理ファイルの中にそれらの日時、アドレス、ファイル名情報を書き込み、その管理ファイルを不揮発性メモリ２０４、不揮発性メモリカード２０５に書き込む。管理ファイルの中身の、日時の代わりに乱数プログラムなどから乱数を発生させてそのデータ情報を記録しても、他の内容を記録してもよく、同じ内容の管理ファイルが異なるデジタルカメラで生成されなければなんでもよい。Ｓ５０４では、不揮発性メモリ２０４または不揮発性メモリカード２０５のどちらか一方でも管理ファイルがない場合はＳ５０５に進み、管理ファイルがある場合は、Ｓ５０６に進む。Ｓ５０５では、Ｓ５０３でも述べた通り、ＣＰＵ２０１は、図示しないＲＴＣから現在の日時を読み出し、また、ＲＯＭ２０２に予め記録されているアドレスを読み出し、さらに、撮影した画像ファイル名を読み出し、その情報をｃｏｎｔｏｒｌ．ｔｘｔというファイルにして不揮発性メモリ２０４、不揮発性メモリカード２０５の両方に記録した後、本フローチャートを終了する。尚、このＳ５０５で新規に管理ファイルを作成する前から不揮発性メモリ２０４に管理ファイル、ｃｏｎｔｒｏｌ．ｔｘｔがあった場合、ＣＰＵ２０１は、その管理ファイルを旧管理ファイル（ファイル名：ｃｏｎｔｒｏｌ．ｏｌｄ）として保存し、新規に管理ファイルを作成する。不揮発性メモリカード２０５に管理ファイル、ｃｏｎｔｒｏｌ．ｔｘｔがあった場合は、旧管理ファイルとせずに、そのまま上書き保存する。Ｓ５０６では、ＣＰＵ２０１は、不揮発性メモリカード２０５内に画像ファイルがあるか検索する。Ｓ５０７では、不揮発性メモリカード２０５内に画像ファイルがあればＳ５０８に進み、なければＳ５０５に進む。Ｓ５０８では、ＣＰＵ２０１は、不揮発性メモリカード２０５に記録されている管理ファイル内に記載されているアドレスとＲＯＭ２０２に記録されているアドレスとを比較する。Ｓ５０９では、アドレスが同じであればＳ５１０に進み、異なればＳ５０５に進む。Ｓ５１０では、不揮発性メモリ２０４と不揮発性メモリカード２０５にある管理ファイルの作成日時を比較する。Ｓ５１１では、作成日時が異なればＳ５１２に進み、同じであればＳ５１３に進む。Ｓ５１２では、ＣＰＵ２０１は、不揮発性メモリカード２０５に記録された管理ファイルと同じ内容の旧管理ファイル（ファイル名：ｃｏｎｔｒｏｌ．ｏｌｄ）を不揮発性メモリ２０４内から読み出しその管理ファイルを新管理ファイルｃｏｎｔｒｏｌ．ｔｘｔとし、その前の管理ファイルを旧管理ファイルｃｏｎｔｒｏｌ．ｏｌｄと、管理ファイルを置き換える。Ｓ５１３では、不揮発性メモリ２０４または不揮発性メモリカード２０５内にある管理ファイル（どちらも内容は同じ）に記載されている画像ファイル名と不揮発性メモリカード２０５内にある画像ファイルを比較する。Ｓ５１４では、管理ファイル内に記載されているファイル名の全てが、不揮発性メモリカード２０５内に画像ファイルとしてある場合は本フローチャートを終了し、管理ファイルに記載して���るファイル名の全てがない場合は、Ｓ５１５に進む。Ｓ５１５では、不揮発性メモリカード２０５内にない画像ファイルのファイル名を管理ファイルから削除（不揮発性メモリ２０４と不揮発性メモリカード２０５の両方の管理ファイル）して本フローチャートを終了する。
【手続補正２０】
【補正対象書類名】図面
【補正対象項目名】図１１
【補正方法】変更
【補正の内容】
【図１１】
2004015721.tif 000001